(57)【要約】      （修正有）【課題】遮光のために不透明な容器本体を具えた液注出容器において、容器本体の底壁の状態を視認することで、内容液が一定量の残量となったことを知ることができるようにしたポンプ付底上げタイプのクリーム状液注出容器を提供すること。【解決手段】液注出容器として、不透明な容器本体Ａと、容器本体の口筒部１に取着され、上端にノズルヘッドＣを取着したポンプＢと、容器本体の胴周壁内に上昇可能に嵌挿された摺動底板Ｄと、容器本体の下端に取着される底蓋Ｅとからなる液注出容器であって、摺動底板と底蓋との間に、摺動底板に取着される嵌合筒３５と、弾性部材３６と、底蓋の保持筒３０に嵌合される栓体３７とからなる表示手段Ｆが配設され、摺動底板が一定の上昇位置に達したときに、栓体が支持筒から引き上げられるようにしたことを特徴とする構成を採用する。【選択図】図１
2007119012.tif 000002
【特許請求の範囲】
【請求項１】
不透明な容器本体と、容器本体の口筒部に取着され、上端にノズルヘッドを取着したポンプと、容器本体の胴周壁内に上昇可能に嵌挿された摺動底板と、容器本体の下端に取着される底蓋とからなる液注出容器であって、
摺動底板と底蓋との間に、摺動底板に取着される嵌合筒と、弾性部材と、底蓋の保持筒に嵌合される栓体とからなる表示手段が配設され、摺動底板が一定の上昇位置に達したときに、栓体が支持筒から引き上げられるようにしたことを特徴とする液注出容器。
【請求項２】
表示手段の嵌合筒と、弾性部材、および栓体が一体成形され、弾性部材が、一体の角度範囲内で折り返される一対のばねによって構成されていることを特徴とする請求項１記載の液注出容器。
【発明の詳細な説明】
【技術分野】
【０００１】
本発明は、液注出容器、とくに不透明な容器本体に収納した内容物の残量を確認可能としたポンプ付底上げタイプのクリーム状液注出容器に関するものである。
【背景技術】
【０００２】
不透明な容器本体に内容物を収納したポンプ付底上げタイプのクリーム状液注出容器において、摺動底板が一定の上昇位置に達したときに、摺動底板の下面に装着した球体を落下させ、その状態で容器を振ると、球体が容器内面に衝突して音を発生するようにした容器は、従来より知られている（例えば、特許文献１参照）。
【特許文献１】特開２００２−３２０８８６号公報
【発明の開示】
【発明が解決しようとする課題】
【０００３】
しかしながら、上記特許文献１記載の容器では、摺動底板の球体保持部が、ポンプのシリンダー下端に圧接したときに、球体が落下するようにしており、そのため、内容液が無くなったときはわかるが、内容液が少なくなり、一定の残量となったときを知ることはできなかった。
そのため、新しい容器を求め、それとの交換を準備しておく時期がわからないという問題が生じるおそれがあった。
【０００４】
本発明は、上記問題を解決することを課題とし、遮光のために不透明な容器本体を具えた液注出容器において、容器本体の底壁の状態を視認することで、内容液が一定量の残量となったことを知ることができるようにしたポンプ付底上げタイプのクリーム状液注出容器を提供することを目的とする。
【課題を解決するための手段】
【０００５】
本発明は、上記の課題を解決するため、液注出容器として、不透明な容器本体と、容器本体の口筒部に取着され、上端にノズルヘッドを取着したポンプと、容器本体の胴周壁内に上昇可能に嵌挿された摺動底板と、容器本体の下端に取着される底蓋とからなる液注出容器であって、摺動底板と底蓋との間に、摺動底板に取着される嵌合筒と、弾性部材と、底蓋の保持筒に嵌合される栓体とからなる表示手段が配設され、摺動底板が一定の上昇位置に達したときに、栓体が支持筒から引き上げられるようにしたことを特徴とする構成を採用する。
【０００６】
表示手段の実施例として、表示手段の嵌合筒と、弾性部材、および栓体が一体成形され、弾性部材が、一体の角度範囲内で折り返される一対のばねによって構成されていることを特徴とする構成を採用する。
【発明の効果】
【０００７】
摺動底板と底蓋との間に、嵌合筒と弾性部材、栓体とを配設し、摺動底板が一定の上昇位置に達したときに、栓体が支持筒から引上げられるようにしたから、内容液の残量は一定以下となり、新しい液注出容器を準備しなければならないときを知ることができるようになった。
また、嵌合筒と弾性部材、および栓体を一体成形しているので、取付けが容易となり、生産コストを抑えることができた。
【発明を実施するための最良の形態】
【０００８】
次に、本発明の液注出容器の実施形態について、図面を参照して説明する。
図１において、Ａは容器本体、Ｂは上端にノズルヘッドＣを取着したポンプ、Ｄは摺動底板、Ｅは底蓋、Ｆは摺動底板Ｄと底蓋Ｅとの間に配設された内容液の一定の残量を表示する表示手段である。
容器本体Ａと摺動底板Ｄは、不透明な合成樹脂で形成され、内容液として遮光の必要なクリーム状液が収納されている。
【０００９】
容器本体Ａは、口筒部１と肩部２、下端を開放端とした胴周壁３とを具えており、口筒部１外周にはねじ４が螺設され、胴周壁３の下端内周には底蓋Ｅのための取付部５が設けられている。
【００１０】
ポンプＢは、シリンダー６とピストン７を具えており、シリンダー６は、ねじ４に螺合するねじ８を螺設し、ノズルヘッドＣの上下動を案内するガイド筒９を具えた取付キャップ１０によって、容器本体Ａの口筒部１に取着されている。
シリンダー６下端の底壁１１には、中央に吸込口１２が穿設され、底壁１１の上面側には、吸込弁１３が設けられている。
【００１１】
ピストン７の下端部周面には、ピストン弁１４が配設され、ピストン７の上下動に応じて、シリンダー室６ａからピストン筒１５内に、開口１６を通じて内容液を圧入するようになっている。
ピストン７のステム１７には、ノズル１８を具えたノズルヘッドＣが取付筒１９を介して装着されており、ノズルヘッドＣと取付キャップ１０との間には、スプリング２０が弾装されている。
【００１２】
ポンプＢ、ノズルヘッドＣは、ノズルヘッドＣを上下動することによってノズル１８より内容液を吐出できるものであればよく、その構成は、従来より公知のものを採用することができ、前記のポンプ装置に限定されない。
【００１３】
摺動底板Ｄは、容器本体Ａ肩部２の一部の傾斜角度とほぼ一致するように形成されたリング状の傾斜板２５と、傾斜板２５の外縁から垂設された外筒２６と、該外筒２６下端に連設され、胴周壁３内面に摺動自在に嵌挿されるスカート状の弾性周壁２７と、傾斜板２５の内縁に連設された内周筒２８と、内周筒２８下端に連設された底壁２９とからなっている。
【００１４】
底蓋Ｅは、中央部に保持筒３０を立設した底板３１と、底板３１の周縁部に立設された支持筒３２と、底板３１の周縁から立設された側周壁３３とからなっており、側周壁３３の外周面には、容器本体Ａの胴周壁３下端の取付部５に係合する係合部３４が形成されている。
【００１５】
図１、２に示すように、表示手段Ｆは、摺動底板Ｄの外筒２６内周に係合される嵌合筒３５と、該嵌合筒３５に連設された弾性部材３６、弾性部材３６の下端と連設した栓体３７とからなっており、嵌合筒３５、弾性部材３６、栓体３７は、一体成形されている。
嵌合筒３５は、外筒２６内周に嵌合する膨出部３８を設けた上筒部３９と、該上筒部３９より縮径された下筒部４０とからなり、下筒部４０下端の所定の位置には、弾性部材３６が連設されている。
【００１６】
上筒部３９には膨出部３８が設けられているので、嵌合筒３５は、外筒２６内周に外れないように嵌着されている。
【００１７】
弾性部材３６は、一対のばね４１、４２とからなり、それぞれのばね４１、４２は、１８０度以下の角度範囲で折り返して下降するように構成され、その上端４１ａ、４２ａは、下筒部４０の内周下端に対称的に位置して連設され、その下端４１ｂ、４２ｂは、栓体３７に連設されている。
栓体３７は、底蓋Ｅの保持筒３０上端部内周に一定の締め代をもって着脱自在に嵌合される嵌合筒４３と、その上端に連設されたフランジ４４、嵌合筒４３の下端に連設され、中央に空気孔４５を設けた底板４６とからなっている。
【００１８】
フランジ４４周縁には、対称的に位置して前記ばね４１、４２の下端４１ｂ、４２ｂが連設されている。
【００１９】
表示手段の取着は、嵌合筒３５の上筒部３９を摺動底板Ｄの外筒２６内周に嵌着し、栓体３７を底蓋Ｅの保持筒３０内周に嵌合させることによって、簡単に取着することができる。
【００２０】
次に、本液注出容器の作用効果について説明する。
本発明の液注出容器には、内容物として、クリーム状液が収納され、ノズルヘッドＣの押下げ操作により、容器本体Ａ内の内容液がポンプＢによって吸上げられ、ノズル１８から吐出される。
【００２１】
内容液の吸上げに応じて容器本体Ａ内が負圧となり、摺動底板Ｄが上昇するとともに、底蓋Ｅの保持筒３０に係合した栓体３７の空気孔４５から容器本体Ａ内の摺動底板Ｄ下方に大気が導入される。
【００２２】
表示手段の嵌合筒３５は、摺動底板Ｄの外筒２６に嵌着され、栓体３７は、一定の締め代をもって保持筒３０内周に嵌合されているので、図３に示すように、摺動底板Ｄの上昇に応じて、弾性部材３６が引き伸ばされる。
図４に示すように、摺動底板Ｄが一定の位置に上昇すると、弾性部材３６の引張力により栓体３７が保持筒３０から取外され、保持筒３０上端部が開口される。
【００２３】
その際、栓体３７と保持筒３０内周との間の嵌合力と、ばね４１、４２の形状を適宜に設定することによって、栓体３７が外されるときの摺動底板Ｄの位置を決めることができる。
【００２４】
栓体３７が外れたことは、保持筒３０の下方から視認することができ、内容液の残量が一定以下になっていることを知ることができる。
そのときに新しい液注出容器を準備しておけば、内容液がなくなったとき、新しい容器を使用することができる。
【００２５】
上記実施形態において、保持筒３０内周と栓体３７の底板４６下面に、同一の鮮明な色彩を施しておくと、栓体３７が外れていることを容易に視認することができ、さらに効果的である。
【００２６】
クリーム状液の液注出容器として、摺動底板Ｄと底蓋Ｅとの間に表示手段Ｆを配設するだけでよく、その際、表示手段Ｆの嵌合筒３５、弾性部材３６、栓体３７は一体成形されており、嵌合筒３５を摺動底板Ｄの外筒内周に嵌着し、栓体３７を底蓋Ｅの保持筒３０に嵌合させ、簡単に組立てられるので、生産コストを抑えることができる。
【産業上の利用可能性】
【００２７】
本発明は、クリーム状液注出容器として、摺動底板が一定位置に上昇したことを確認可能とする栓体を有する表示手段を配設したので、内容液の残量が一定以下になったことを知ることができるようになり、クリーム状液注出容器だけでなく、底上げタイプの液注出容器に広く利用できる。
【図面の簡単な説明】
【００２８】
【図１】本発明の液注出容器の一部断面立面図である。
【図２】液注出容器の表示手段の説明図で、（ａ）は断面正面図、（ｂ）は上面図、（ｃ）は側面図である。
【図３】摺動底板の上昇途中の断面立面図である。
【図４】栓体の離脱時の断面立面図である。
【符号の説明】
【００２９】
Ａ        容器本体
Ｂ        ポンプ
Ｃ        ノズルヘッド
Ｄ        摺動底板
Ｅ        底蓋
Ｆ        表示手段
１        口筒部
２        肩部
３        胴周壁
４、８    ねじ
５        取付部
６        シリンダー
６ａ      シリンダー室
７        ピストン
９        ガイド筒
１０      取付キャップ
１１      底壁
１２      吸込口
１３      吸込弁
１４      ピストン弁
１５      ピストン筒
１６      開口
１７      ステム
１８      ノズル
１９      取付筒
２０      スプリング
２５      傾斜板
２６      外筒
２７      弾性周壁
２８      内周壁
２９      底壁
３０      保持筒
３１、４６  底板
３２      支持筒
３３      側周壁
３４      係合部
３５、４３  嵌合筒
３６      弾性部材
３７      栓体
３８      膨出部
３９      上筒部
４０      下筒部
４１、４２  ばね
４４      フランジ
４５      空気孔
【図１】
2007119012.tif 000003
【図２】
2007119012.tif 000004
【図３】
2007119012.tif 000005
【図４】
2007119012.tif 000006